(57)【要約】【課題】歯の隙間における清掃性と歯面の清掃性とを兼ね備えた歯ブラシを提供する。【解決手段】長尺状のハンドル部２と、ハンドル部２の先端側に設けられたヘッド部３とを備え、ヘッド部３の植毛面３ａに複数の毛束が植設されてなる歯ブラシ１であって、植毛面３ａの中央部分に複数の毛束がヘッド部３の長さ方向に並ぶことによって構成される第１の毛束列６と、第１の毛束列６を挟んだ両側に複数の毛束がヘッド部３の長さ方向に並ぶことによって構成される第２の毛束列７とを有し、第１の毛束列６及び第２の毛束列７は、毛先に向かって漸次径が細くなるテーパー用毛の毛束によって構成され、なお且つ、第１の毛束列６は、ヘッド部３の長さ方向において山部と谷部とを交互に繰り返すように各毛束の先端が山切り状に剪定されてなる。【選択図】図１
0003138318.tif 000002
【実用新案登録請求の範囲】
【請求項１】
長尺状のハンドル部と、前記ハンドル部の先端側に設けられたヘッド部とを備え、前記ヘッド部の植毛面に複数の毛束が植設されてなる歯ブラシであって、
前記植毛面の中央部分に複数の毛束が前記ヘッド部の長さ方向に並ぶことによって構成される第１の毛束列と、前記第１の毛束列を挟んだ両側に複数の毛束が前記ヘッド部の長さ方向に並ぶことによって構成される第２の毛束列とを有し、
前記第１の毛束列及び前記第２の毛束列は、毛先に向かって漸次径が細くなるテーパー用毛の毛束によって構成され、なお且つ、前記第１の毛束列は、前記ヘッド部の長さ方向において山部と谷部とを交互に繰り返すように各毛束の先端が山切り状に剪定されてなることを特徴とする歯ブラシ。
【請求項２】
前記ヘッド部の植毛面において、前記第１の毛束列を構成する毛束が植設された各植毛穴の横断面積の総和が、前記第２の毛束列を構成する毛束が植設された各植毛穴の横断面積の総和に対して、１．５〜２．０倍であることを特徴とする請求項１に記載の歯ブラシ。
【考案の詳細な説明】
【技術分野】
【０００１】
本考案は、毛先に向かって漸次径が細くなる刷毛（以下、テーパー用毛という。）を用いた歯ブラシの改良に関する。
【背景技術】
【０００２】
歯ブラシにおいては、歯の隙間における清掃性を高めるため、毛先に向かって漸次径が細くなるテーパー用毛を用いることが従来より提案されている（例えば、特許文献１〜６を参照。）。しかしながら、従来のテーパー用毛を用いた歯ブラシでは、歯の隙間における清掃性を高めることができる反面、毛腰が弱くなることによって歯面の清掃性が悪くなるといった欠点がある。
【特許文献１】特許第３２６５３２４号
【特許文献２】特開２００６−２４３４８３号公報
【特許文献３】実開平３−４５５７７号公報
【特許文献４】実開平３−６６８７３号公報
【特許文献５】特開平９−１２７８７５号公報
【特許文献６】特開２００５−１９６０２３号公報
【考案の開示】
【考案が解決しようとする課題】
【０００３】
そこで、本考案は、このような従来の事情に鑑みて提案されたものであり、上述したテーパー用毛を用いた歯ブラシにおいて、歯の隙間における清掃性と歯面の清掃性とを両立させることができる歯ブラシを提供することを目的とする。
【課題を解決するための手段】
【０００４】
上記目的を達成するために、本考案は、以下の手段を提供する。
すなわち、請求項１に係る考案は、長尺状のハンドル部と、ハンドル部の先端側に設けられたヘッド部とを備え、ヘッド部の植毛面に複数の毛束が植設されてなる歯ブラシであって、植毛面の中央部分に複数の毛束がヘッド部の長さ方向に並ぶことによって構成される第１の毛束列と、第１の毛束列を挟んだ両側に複数の毛束が前記ヘッド部の長さ方向に並ぶことによって構成される第２の毛束列とを有し、第１の毛束列及び第２の毛束列は、毛先に向かって漸次径が細くなるテーパー用毛の毛束によって構成され、なお且つ、第１の毛束列は、ヘッド部の長さ方向において山部と谷部とを交互に繰り返すように各毛束の先端が山切り状に剪定されてなることを特徴とする歯ブラシである。
【０００５】
また、請求項２に係る考案は、ヘッド部の植毛面において、第１の毛束列を構成する毛束が植設された各植毛穴の横断面積の総和が、第２の毛束列を構成する毛束が植設された各植毛穴の横断面積の総和に対して、１．５〜２．０倍であることを特徴とする請求項１に記載の歯ブラシである。
【考案の効果】
【０００６】
以上のように、本考案の請求項１に係る歯ブラシでは、植毛面の中央部分に設けられた第１の毛束列が、毛先に向かって漸次径が細くなるテーパー用毛の毛束によって構成され、なお且つ、ヘッド部の長さ方向において山部と谷部とを交互に繰り返すように各毛束の先端が山切り状に剪定されてなることから、この第１の毛束列によって歯面に対する清掃性を高めることができる。また、第１の毛束列を挟んだ両側に設けられた第２の毛束列が、毛先に向かって漸次径が細くなるテーパー用毛の毛束によって構成されることから、この第２の毛束列によって歯の隙間に対する清掃性を高めることができる。したがって、この歯ブラシでは、テーパー用毛を用いた場合であっても、歯の隙間における清掃性と歯面の清掃性とを両立させることが可能である。
【０００７】
また、本考案の請求項２に係る歯ブラシでは、ヘッド部の植毛面において、第１の毛束列を構成する毛束が植設された各植毛穴の横断面積の総和を、第２の毛束列を構成する毛束が植設された各植毛穴の横断面積の総和に対して、１．５〜２．０倍とすることによって、歯の隙間における清掃性と歯面の清掃性とをバランスよく両立させることができる。
【０００８】
以上のように、本考案によれば、歯の隙間における清掃性と歯面の清掃性とを兼ね備えた歯ブラシを提供することが可能である。
【考案を実施するための最良の形態】
【０００９】
以下、本考案を適用した歯ブラシについて、図面を参照して詳細に説明する。
なお、以下の説明で用いる図面は、特徴をわかりやすくするために、便宜上特徴となる部分を模式的に示している場合があり、各構成要素の寸法比率などが実際と同じであるとは限らない。また、場合によって用毛の図示を省略し、用毛の毛束が植毛される植毛穴のみを示すものとする。
【００１０】
本考案の一実施形態として図１に示す歯ブラシ１は、全体が長尺状を為すブラシハンドル１Ａを備え、このブラシハンドル１Ａは、長尺状のハンドル部２と、このハンドル部２の先端側に設けられたヘッド部３と、ハンドル部２とヘッド部３との間に設けられたネック部４とを有して構成されている。
【００１１】
ブラシハンドル１Ａは、ハンドル部２と、これに連なるネック部４と、これに連なるヘッド部３とが、例えば硬質樹脂材料により一体成形されたものからなる。ブラシハンドル１Ａに使用される硬質樹脂材料としては、例えば、ポリプロピレン、ポリエチレン、ポリエチレンテレフタレート、ポリシクロヘキシレンジメチレンテレフタレート、飽和ポリエステル樹脂、ポリメタクリル酸メチル、プロピオン酸セルロース、ポリウレタン、ポリアミド、ＡＢＳ（アクロル二トリル・ブタジエン・スチレン）などの熱可塑性樹脂材料を挙げることができるが、これらの材料に必ずしも限定されるものではない。
【００１２】
また、ハンドル部２は、使用者が把持する部分であるため、このハンドル部２にエラストマーなどの柔軟な樹脂を部分的又は全体に被覆形成することによって、把持性を向上させてもよい。ネック部４は、ハンドル部２とヘッド部３との間を連結する部分であるが、ハンドル部２及びヘッド部３と必ずしも明確に区別される部分ではないため、場合によってハンドル部２とネック部４との区別がないものもある。したがって、ブラシハンドル１Ａは、ハンドル部２の先端にヘッド部３が直接設けられた形状のものであってもよく、その形状や、大きさ、デザイン等については任意に変更して実施することができる。
【００１３】
ヘッド部３は、口腔内を清掃しやすい形状や大きさであればよく、その形状について特に限定されるものではないものの、一般的に略直方体状を為している。そして、このヘッド部３の一面（植毛面という。）３ａには、毛束を植設するための複数の植毛穴５が長さ方向と幅方向とに列をなして設けられている。
【００１４】
このヘッド部３は、植毛面３ａの中央部分に複数の毛束が当該ヘッド部３の長さ方向に並ぶことによって構成される第１の毛束列６と、第１の毛束列６を挟んだ両側に複数の毛束が当該ヘッド部３の長さ方向に並ぶことによって構成される第２の毛束列７とを有している。なお、図１では、第１及び第２の毛束列６，７を構成する各毛束の図示を省略すると共に、植毛面３ａに設けられた複数の植毛穴５のうち、第１の毛束列６を構成するものと第２の毛束列７を構成するものとを色分けにより区別して図示している。
【００１５】
第１の毛束列６及び第２の毛束列７を構成する各毛束は、その中央部から両端の毛先に向かって漸次径が細くなる図２に示すようなテーパー用毛８を用いて、このテーパー用毛８を複数本束ねて二つ折りにし、その間に平線と呼ばれる抜止め具（図示せず。）を挟んで植毛穴５に打ち込むことによって植毛面３ａに植設されている。
【００１６】
テーパー用毛８は、その材質については特に限定されるものではなく、例えば、ポリアミド（例：６−１２ナイロン、６−１０ナイロン）、ポリエステル（例：ポリエチレンテレフタレート、ポリブチレンテレフタレート、ポリトリメチレンテレフタレート）、ポリオレフィン（例：ポリプロピレン）、エラストマー（例：オレフィン系、スチレン系）などの合成樹脂材料を用いることができる。また、これらの樹脂材料を複数組み合わせて用いてもよく、例えば芯鞘構造などのように、芯部と鞘部で異なる樹脂材料を用いることもできる。その中でも、テーパー用毛８には、所定の長さにカットされたポリブチレンテレフタレートからなる用毛（フィラメント）をアルカリ性加水分解処理剤に浸漬し溶解することで毛先をテーパー状としたものを用いることが好ましい。
【００１７】
また、テーパー用毛８の横断面形状は、好ましく円形であるが、そのような形状に必ずしも限定されるものではなく、例えば、楕円形、多角形（例えば、三角形、四角形、五角形、六角形など。）異形（例えば、星形、三つ葉のクローバー形、四つ葉のクローバー形など。）等とすることができ、歯ブラシ１の目的用途に応じて任意の形状とすることができる。さらに、テーパー用毛８は、スパイラル状にしたり、エンボス等を設けたりしてもよい。
【００１８】
テーパー用毛８の毛丈は、ヘッド部３の植毛面３ａから、大人用で８ｍｍ〜１３ｍｍ、子供用で６ｍｍ〜９ｍｍとすることが好ましい。テーパー用毛８の太さ（最大径）は、口腔内の使用性や使用感の点から、０．１２ｍｍ〜０．２６ｍｍであることが好ましい。また、使用感や、刷掃感、清掃効果、耐久性など考慮して、太さの異なる複数本のテーパー用毛を任意に組み合わせて用いてもよい。例えば、第１の毛束列６を構成する毛束に太いテーパー用毛８を用い、第２の毛束列７を構成する毛束に細いテーパー用毛８を用いてもよい。
【００１９】
第１の毛束列６は、図１に示すように、植毛面３ａの中央部分に少なくとも１列以上並んで設けられていればよく、本例では、植毛面３ａの中央部分に、ヘッド部３の長さ方向に複数の毛束が平行に２列並んで設けると共に、これら２列の両端の間に１つの毛束を設けることによって、第１の毛束列６が構成されている。
【００２０】
さらに、第１の毛束列６は、図３に示すように、ヘッド部３の長さ方向に並ぶ複数の毛束Ｂのうち、隣接する２つの毛束Ｂ毎に山部（凸部）６ａと谷部（凹部）６ｂとを交互に繰り返すように各毛束Ｂの先端を山切り状に剪定した毛切り形状を有している。この第１の毛束列６の先端における毛切り形状については、山部（凸部）６ａと谷部（凹部）６ｂとの高低差を２ｍｍ前後とすることが好ましい。また、第１の毛束列６は、山切り状に剪定した後に、歯茎への当たり心地をよくするため、ヤスリ等で毛先を研磨加工することが好ましい。
【００２１】
これに対して、第２の毛束列７は、図１に示すように、植毛面３ａの第１の毛束列６を挟んだ両側に一対並んで設けられている。また、第２の毛束列７は、図４に示すように、各毛束Ｂの先端を剪定することなく、各毛束Ｂの毛丈が揃っている。なお、第１の毛束列６の山部（凸部）６ａと第２の毛束列７とは、歯の隙間に毛先が均一に当たり易くするため、その毛丈がほぼ同じであることが好ましい。
【００２２】
以上のような構造を有する歯ブラシ１では、植毛面３ａの中央部分に設けられた第１の毛束列６が、毛先に向かって漸次径が細くなるテーパー用毛８の毛束Ｂによって構成され、なお且つ、ヘッド部３の長さ方向において山部６ａと谷部６ｂとを交互に繰り返すように各毛束Ｂの先端が山切り状に剪定されている。この場合、第１の毛束列６によって歯面及び歯間部に対する清掃性を高めることができる。一方、第１の毛束列６を挟んだ両側に設けられた第２の毛束列７は、毛先に向かって漸次径が細くなるテーパー用毛８の毛束Ｂによって構成されている。この場合、第２の毛束列７によって歯の隙間及び歯頸部（歯周ポケット）に対する清掃性を高めることができる。したがって、この歯ブラシ１では、上述したテーパー用毛８を用いた場合であっても、歯の隙間における清掃性と歯面の清掃性とを両立させることが可能である。
【００２３】
また、本考案を適用した歯ブラシ１では、ヘッド部３の植毛面３ａにおいて、第１の毛束列６を構成する毛束Ｂが植設された各植毛穴５の横断面積の総和を、第２の毛束列７を構成する毛束Ｂが植設された各植毛穴５の横断面積の総和に対して、１．５〜２．０倍とすることが好ましい（以下、植毛穴面積比という。）。これにより、上述した歯の隙間における清掃性と歯面の清掃性とをバランスよく両立させることが可能である。
【００２４】
なお、本考案を適用した歯ブラシ１は、上記実施形態のものに必ずしも限定されるものではなく、本考案の趣旨を逸脱しない範囲において種々の変更を加えることが可能である。
例えば、上記第１の毛束列６の先端における毛切り形状は、図５（ａ）に示すように、上述したヘッド部３の長さ方向に並ぶ複数の毛束Ｂのうち、隣接する２つの毛束Ｂ毎に山部６ａと谷部６ｂとを交互に繰り返すように各毛束Ｂの先端が山切り状に剪定されてなるものに必ずしも限定されるものではない。例えば、第１の毛束列６の先端における毛切り形状は、図５（ｂ）に示すように、ヘッド部３の長さ方向に並ぶ複数の毛束Ｂのうち、１つの毛束Ｂ毎に山部６ａと谷部６ｂとを交互に繰り返すように各毛束Ｂの先端が山切り状に剪定されてなるものや、図５（ｃ）に示すように、ヘッド部３の長さ方向に並ぶ複数の毛束Ｂのうち、隣接する２つの毛束Ｂと１つの毛束Ｂ毎に山部６ａと谷部６ｂとを交互に繰り返すように各毛束Ｂの先端が山切り状に剪定されてなるものであってもよい。
【００２５】
なお、上記ヘッド部３の植毛面３ａには、通常はヘッド部３の長さ方向と幅方向において、円形の植毛穴５が格子状や千鳥状に所定の間隔で複数並んで配置されるが、植毛穴５の配置や間隔、それらの組み合わせ等については、上記第１及び第２の毛束列６，７を構成するものであれば、特に限定されるものではない。
【００２６】
また、上記毛束Ｂは、通常は複数本のテーパー用毛８を略円形状に束ねたものを用いるが、このような略円形状に束ねたものに限らず、略三角形や略四角形などの略多角形状に束ねてもよく、さらに、略楕円状や、略長円状、略長方形状、略多角形状など長径と短径が異なる形状に束ねたものを用いてもよい。
【００２７】
また、上記毛束Ｂの植毛方法としては、上述したテーパー用毛８の毛束Ｂを二つ折りにし、その間に平線を挟んで植毛穴５に固定する平線植毛法以外にも、毛束Ｂの下端をヘッド部３となる溶融樹脂中に圧入して固定する熱融着法や、毛束Ｂの下端を加熱して溶融塊を形成した後に、金型のキャビティ内に溶融樹脂を充填してヘッド部３と一体に成形するインモールド法などを用いることができる。
【実施例】
【００２８】
以下、実施例により本考案の効果をより明らかなものとする。なお、本考案は、以下の実施例に限定されるものではなく、その要旨を変更しない範囲で適宜変更して実施することができる。
【００２９】
本実施例では、先ず、実施例１〜４及び比較例１〜３の歯ブラシとして、上記図１に示す歯ブラシ１のブラシハンドル１Ａとほぼ同様のブラシハンドルを作製し、ヘッド部の植毛面に設けられた第１の毛束列と第２の毛束列とをそれぞれ異ならせたものを作製した。これら実施例１〜４及び比較例１〜３の各歯ブラシの仕様についてまとめたものを以下の表１に示す。
【００３０】
【表１】
0003138318.tif 000003
【００３１】
そして、これら実施例１〜４及び比較例１〜３の各歯ブラシについて、「清掃性」及び「使用感」の評価と、これらの「総合評価」を行った。その評価結果を表２に示す。
なお、「清掃性」の評価については、ライオン社製のブラッシングマシーンを用いて、顎模型の歯に塗布した人工プラークの除去率を「歯面」、「歯間部」、「歯頸部」について測定し、その評価を行った。その評価基準は以下のとおりである。
＜評価基準＞
歯面（○…８０％以上  △…７０％以上、８０％未満  ×…７０未満）
歯間部（○…６０％以上  △…４０％以上、６０％未満  ×…４０未満）
歯頸部（○…７０％以上  △…５０％以上、７０％未満  ×…５０未満）
また、ブラッシングマシーンの刷掃条件は、ブラッシング力＝２００ｇ、ストローク＝２０ｍｍ、速度＝４０ｍｍ／ｓｅｃである。除去率は、上顎第２小臼歯と第１大臼歯と第２大臼歯に人工プラークを塗布し、刷掃後に画像解析によって求めた。
「使用感」の評価については、１０人の専門パネラーによる官能評価とし、○は「非常によい。」、△は「どちらともいえない。」、×は「良くない。」という評価である。また、「総合評価」についても同様である。
【００３２】
【表２】
0003138318.tif 000004
【００３３】
表２に示す評価結果から、実施例１〜４の歯ブラシでは、清掃性のうち歯面、歯間部及び歯頸部の何れも評価も良好な結果が得られ、使用感の評価も良く、総合評価について良好な結果を示した。一方、比較例１〜３の歯ブラシでは、清掃性のうち歯面については良好な結果が得られたものの、歯間部及び歯頸部の清掃性については実施例１〜４の歯ブラシよりも劣る結果となった。また、使用感も劣るため、総合評価について実施例１〜４の歯ブラシよりも悪い結果を示した。
【図面の簡単な説明】
【００３４】
【図１】図１は、本考案を適用した歯ブラシを示す平面図である。
【図２】図２は、テーパー用毛を示す平面図である。
【図３】図３は、第１の毛束列を示す側面図である。
【図４】図４は、第２の毛束列を示す側面図である。
【図５】図５は、第１の毛束列の先端における毛切り形状を例示する側面図である。
【符号の説明】
【００３５】
１…歯ブラシ  １Ａ…ブラシハンドル  ２…ハンドル部  ３…ヘッド部  ３ａ…植毛面  ４…ネック部  ５…植毛穴  ６…第１の毛束列  ６ａ…山部  ６ｂ…谷部  ７…第２の毛束列  ８…テーパー用毛  Ｂ…毛束
【図１】
0003138318.tif 000005
【図２】
0003138318.tif 000006
【図３】
0003138318.tif 000007
【図４】
0003138318.tif 000008
【図５】
0003138318.tif 000009